(57)【要約】      （修正有）【課題】書類の損傷等を防止でき、書類を容易に取出すことができ、更に、書類を収納したことを確認できる収納ボックスを提供する。【解決手段】収納ボックスＸは、消火器、消火バケツ、吸殻入れを保管空間Ｚに収納するボックス本体１と、ボックス本体１の前面開口Ａを開閉する扉パネル８５と、ボックス本体１の保管空間Ｚに配置され、及び書類を収納する書類収納ポケット８９とで構成する。書類収納ポケット８９は、扉パネル８５に備えられる。【選択図】図４
0003205572.tif 000002
【実用新案登録請求の範囲】
【請求項１】
消火器を含む保管物を収納する保管空間、及び前記保管物を前記保管空間に出し入れする前面開口を有するボックス本体と、
前記ボックス本体に回転自在に軸支され、前記ボックス本体の前面開口を開閉する扉パネルと、
前記ボックス本体の前記保管空間内に配置され、書類を収納する書類収納ポケットと、
を備え、
前記書類収納ポケットは、
前記書類を収納する書類収納空所と、
前記書類を前記書類収納空所に出し入れする書類出入口と、
を有する
ことを特徴とする収納ボックス。
【請求項２】
前記書類収納ポケットは、
前記扉パネルに備えられる
ことを特徴とする請求項１に記載の収納ボックス。
【請求項３】
前記扉パネルは、
外側板と、
前記外側板に間隔を隔てて前記前面開口側に並設される内側板と、
を含む矩形中空パネルに形成され、
前記内側板は、
前記内側板の一部を、前記ボックス本体の前記保管空間側に膨出したポケット膨出部を有し、
前記ポケット膨出部は、
前記扉パネルのパネル長手方向の下端側に形成され、前記外側板側に延在して前記外側板に当接されるポケット底板部と、
前記ポケット底板部に対向するポケット天井板部を含んで有し、
前記書類収納ポケットは、
前記外側板、及び前記ポケット膨出部から構成され、
前記外側板及び前記ポケット膨出部間に前記書類収納空所を有し、
前記ポケット天井板部に前記書類出入口を有する
ことを特徴とする請求項１又は２に記載の収納ボックス。
【請求項４】
前記扉パネルは、
前記外側板に形成され、前記扉パネルのパネル長手方向及びパネル幅方向に連続して配置される複数の菱形窪み部と、
前記内側板に形成される内側突部と、
を有し、
前記各菱形窪み部は、
２本の対角線、及び各辺で区画される４つの三角形外側板部を有し、
前記各菱形窪み部において、各三角形外側板部は、２本の対角線の交点に向けて、前記内側板側に傾斜され、
前記各内側突部は、
前記外側板に向けて突出され、前記菱形窪み部の各対角線の交点において、前記外側板に当接される
ことを特徴とする請求項１乃至３の何れかに記載の収納ボックス。
【請求項５】
前記ボックス本体は、
矩形に形成される背面・側パネルと、
矩形に形成され、前記背面・側パネルに直交して並設される左面・側パネルと、
矩形に形成され、前記左面・側パネルに対向して配置され、及び前記背面・側パネルに直交して並設される右面・側パネルと、
前記各側パネルで形成される上面開口を閉塞し、及び前記各側パネルに取付けられる天井パネルと、
前記各側パネルで形成される下面開口を閉塞し、及び前記各側パネルに取付けられる底パネルと、
を備え、前記各側パネル、前記天井パネル及び前記底パネルで前記保管空間を形成し、前記右面・側パネル、前記左面・側パネル、前記天井パネル及び前記底パネルで前記前面開口を形成し、
前記扉パネルは、
前記天井パネル及び前記底パネルに回転自在に軸支され、前記前面開口を開閉する
ことを特徴とする請求項１乃至４の何れかに記載の収納ボックス。
【請求項６】
前記ボックス本体の前記保管空間に配置される棚パネルを備え、
前記棚パネルは、
前記天井パネル及び前記底パネルに間隔を隔てて並設され、前記左面・側パネル及び前記右面・側パネルに支持される
ことを特徴とする請求項５に記載の収納ボックス。
【請求項７】
前記底パネルは、
前記保管空間に開口され、前記消火器を立設して収納する収納凹部を有する
ことを特徴とする請求項５又は６に記載の収納ボックス。
【請求項８】
前記棚パネルは、
前記底パネルの前記収納凹部に対向する位置に配置され、前記消火器の外縁に沿った切取縁で囲まれる切取パネル部分を有し、
前記切取パネル部分は、
前記切取縁に沿って切取自在にされている
ことを特徴とする請求項７に記載の収納ボックス。
【請求項９】
前記底パネルは、
前記保管空間に開口され、前記消火器を立設して収納する収納凹部を有し、
前記収納凹部は、
前記前面開口側であって、前記右面・側パネル側に位置して配置され、
前記棚パネルは、
前記収納凹部に対向する位置に配置され、前記消火器の外縁に沿った切取縁で囲まれる切取パネル部分を有し、
前記切取パネル部分は、
前記切取縁に沿って切取自在にされ、
前記切取縁は、
前記棚パネルにおいて、前記前面開口側のパネル端を始点、及び前記右面・側パネル側のパネル端を終点として、前記切取パネル部分を区画する
ことを特徴とする請求項５に記載の収納ボックス。
【請求項１０】
前記切取縁の始点側において、前記切取パネル部分に隣設され、前記棚パネルに立設して固定される消火器用支持軸と、
前記消火器用支持軸に取外自在に掛けられる消火器用フックと、
前記収納凹部に立設して収納された前記消火器の外縁に当接自在に配置される可撓性線材と、
を備え、
前記可撓性線材において、
一方の線材端側は、前記消火器用フックに連結され、
他方の線材端側は、前記切取縁の終点側において、前記棚パネルに固定される
ことを特徴とする請求項９に記載の収納ボックス。
【請求項１１】
前記扉パネルは、前記前面開口を閉じた状態において、
前記底パネルの前記収納凹部に立設された消火器と対向する位置に配置され、前記保管空間に開口する覗き穴を有し、
前記覗き穴は、
前記外側板及び前記内側板を貫通して形成される
ことを特徴とする請求項７乃至９の何れかに記載の収納ボックス。
【請求項１２】
前記扉パネルは、
前記覗き穴を閉塞する透明プレートを有し、
前記透明プレートは、
前記内側板側から前記覗き穴を閉塞して、前記内側板に取付けられる
ことを特徴とする請求項１１に記載の収納ボックス。
【考案の詳細な説明】
【技術分野】
【０００１】
本考案は、消火器を含む保管物、及び書類を収納して保管する収納ボックスに関する。
【背景技術】
【０００２】
収納ボックスは、例えば、住宅等の建築現場に設置され、消火器、吸殻入れ、ヘルメット、消火バケツ及び救急箱等の保管物を収納して保管する。また、消火器を含む保管物と共に、書類（設計図等）を収納ボックスに収納して保管する。
【考案の概要】
【考案が解決しようとする課題】
【０００３】
しかし、従来の収納ボックスでは、書類を保管物と区別することなく、収納して保管するので、保管物で書類を損傷し、汚す虞がある。
また、保管物の下に書類を敷いて収納ボックスに収納したり、書類を収納ボックスの奥に収納したりすると、書類を収納ボックスから容易に取出せない。
更に、書類を収納ボックスに収納したことを確認することも困難となる。
【０００４】
本考案は、書類を保管物と区別して保管することで、書類の損傷、汚れを防止でき、書類を容易に取出すことができ、更に書類を保管したことを容易に確認できる収納ボックスを提供することにある。
【課題を解決するための手段】
【０００５】
本考案に係る請求項１は、消火器を含む保管物を収納する保管空間、及び前記保管物を前記保管空間に出し入れする前面開口を有するボックス本体と、前記ボックス本体に回転自在に軸支され、前記ボックス本体の前面開口を開閉する扉パネルと、前記ボックス本体の前記保管空間内に配置され、書類を収納する書類収納ポケットと、を備え、前記書類収納ポケットは、前記書類を収納する書類収納空所と、前記書類を前記書類収納空所に出し入れする書類出入口を有することを特徴とする収納ボックスである。
【０００６】
本考案に係る請求項２は、前記書類収納ポケットは、前記扉パネルに備えられることを特徴とする請求項１に記載の収納ボックスである。
【０００７】
本考案に係る請求項３は、前記扉パネルは、外側板と、前記外側板に間隔を隔てて前記前側開口側に並設される内側板とを含む矩形中空パネルに形成され、前記内側板は、前記内側板の一部を、前記ボックス本体の前記保管空間側に膨出したポケット膨出部を有し、前記ポケット膨出部は、前記扉パネルのパネル長手方向の下端側に形成され、前記外側板側に延在して前記外側板に当接されるポケット底板部と、前記ポケット底板部に対向して形成されるポケット天井板部を含んで有し、前記書類収納ポケットは、前記外側板及び前記ポケット膨出部から構成され、前記外側板及び前記ポケット膨出部間に前記書類収納空所を有し、前記ポケット天井板部に前記書類出入口を有することを特徴とする請求項１又は２に記載の収納ボックスである。
【０００８】
本考案に係る請求項４は、前記扉パネルは、前記外側板に形成され、前記扉パネルのパネル長手方向及びパネル幅方向に連続して配置される複数の菱形窪み部と、前記内側板部に形成される内側突部と、を有し、前記各菱形窪み部は、２本の対角線、及び各辺で区画される４つの三角形外側板部を有し、前記各菱形窪み部において、各三角形外側板部は、２本の対角線の交点に向けて、前記内側板側に傾斜され、前記内側突部は、前記外側板に向けて突出され、前記菱形窪み部の各対角線の交点において、前記外側板に当接されることを特徴とする請求項１乃至３の何れかに記載の収納ボックスである。
【０００９】
本考案に係る請求項５は、前記ボックス本体は、矩形に形成される背面・側パネルと、矩形に形成され、前記背面・側パネルに直交して並設される左面・側パネルと、矩形に形成され、前記左面・側パネルに対向して配置され、及び前記背面・側パネルに直交して並設される右面・側パネルと、前記各側パネルで形成される上面開口を閉塞し、前記各側パネルに取付けられる天井パネルと、前記各側パネルで形成される下面開口を閉塞し、前記各側パネルに取付けられる底パネルと、を備え、前記各側パネル、前記天井パネル及び前記底パネルで前記保管空間を形成し、前記左面・側パネル、前記右面・側パネル、前記天井パネル及び前記底パネルで前記前面開口を形成し、前記扉パネルは、前記天井パネル及び前記底パネルに回転自在に軸支され、前記前面開口を開閉することを特徴とする請求項１乃至４の何れかに記載の収納ボックスである。
【００１０】
本考案に係る請求項６は、前記ボックス本体の前記保管空間に配置される棚パネルを備え、前記棚パネルは、前記天井パネル及び前記底パネルに間隔を隔てて並設され、前記左面・側パネル及び前記右面・側パネルに支持されることを特徴とする請求項５に記載の収納ボックスである。
【００１１】
本考案に係る請求項７は、前記底パネルは、前記保管空間に開口され、前記消火器を立設して収納する収納凹部を有することを特徴とする請求項５又は６に記載の収納ボックスである。
【００１２】
本考案に係る請求項８は、前記棚パネルは、前記底パネルの前記収納凹部に対応する位置に配置され、前記消火器の外縁に沿った切取縁で囲まれる切取パネル部分を有し、前記切取パネル部分は、前記切取縁に沿って切取自在にされることを特徴とする請求項７に記載の収納ボックスである。
【００１３】
本考案に係る請求項９は、前記底パネルは、前記保管空間に開口され、前記消火器を立設して収納する収納凹部を有し、前記収納凹部は、前記前面開口側であって、前記右面・側パネル側に位置して配置され、前記棚パネルは、前記収納凹部に対向する位置に配置され、前記消火器の外縁に沿った切取縁で囲まれる切取パネル部分を有し、前記切取パネル部分は、前記切取縁に沿って切取自在にされ、前記切取縁は、前記棚パネルにおいて、前記前面開口側のパネル端を始点、及び前記右面・側パネル側のパネル端を終点として、前記切取パネル部分を区画することを特徴とする請求項５に記載の収納ボックスである。
【００１４】
本考案に係る請求項１０は、前記切取縁の始点側において、前記切取パネル部分に隣設され、前記棚パネルに立設して固定される消火器用支持軸と、前記消火器用支持軸に取外自在に掛けられる消火器用フックと、前記収納凹部に立設して収納された前記消火器の外縁に当接自在に配置されるゴムロープを含む可撓性線材と、を備え、前記可撓性線材において、一方の線材端側は、前記消火器用フックに連結され、他方の線材端側は、前記切取縁の終点側において、前記棚パネルに固定されることを特徴とする請求項９に記載の収納ボックスである。
【００１５】
本考案に係る請求項１１は、前記扉パネルは、前記前面開口を閉じた状態において、前記底パネルの前記収納凹部に立設された消火器と対向する位置に配置され、前記保管空間に開口する覗き穴を有し、前記覗き穴は、前記外側板及び前記内側板を貫通して形成されることを特徴とする請求項７乃至９の何れかに記載の収納ボックスである。
【００１６】
本考案に係る請求項１２は、前記扉パネルは、前記覗き穴を閉塞する透明プレートを有し、前記透明プレートは、前記内側板側から前記覗き穴を閉塞して、前記内側板に取付けられることを特徴とする請求項１１に記載の収納ボックスである。
【考案の効果】
【００１７】
本考案に係る請求項１によれば、書類収納ポケットに書類を収納することで、消火器を含む保管物と区別して、ボックス本体の保管空間に保管できる。
これにより保管物によって書類が損傷、汚れることを防止でき、書類を書類収納ポケットから容易に取出すことができ、更に、書類収納ポケットを視認することで、書類を収納したかを容易に確認できる。
【００１８】
本考案に係る請求項２によれば、請求項１の効果に加えて、書類収納ポケットを扉パネルに備えるので、扉パネルでボックス本体の前面開口を開いた状態において、書類を書類収納ポケットに収納できる。
【００１９】
本考案に係る請求項３によれば、請求項１又は２の効果に加えて、書類収納ポケット及び扉ボックスを一体形成、例えば、ブロー成型により一体形成できる。
【００２０】
本考案に係る請求項４によれば、請求項１乃至３の効果に加えて、各菱形窪み部の交点において、内側突部を外側板に当接するので、扉パネル（外側板、内側板）の強度を上げることができる。
【００２１】
本考案に係る請求項５によれば、請求項１乃至４の効果に加えて、各側パネル、天井パネル及び底パネルにて、ボックス体を直方体に構成できる。
【００２２】
本考案に係る請求項６によれば、請求項５の効果に加えて、保管物を棚プレートに載置して、ボックス本体の保管空間に収納して保持できる。
【００２３】
本考案に係る請求項７によれば、請求項６及び７の効果に加えて、消火器を底パネルの収納凹部に立設して収納することで、ボックス保体の保管空間に保管できる。
【００２４】
本考案に係る請求項８によれば、請求項７の効果に加えて、切取パネル部分を切取縁に沿って切取ることで、棚パネルに消火器を挿入する消化器用穴を形成できる。
これにより、収納凹部に立設して収納された消化器を消火用穴に挿入することで、棚パネルにて消火器を保持できる。
【００２５】
本考案に係る請求項９によれば、請求項５の効果に加えて、切取パネル部分を切取縁に沿って切取ることで、棚パネルに消火器を挿入する消火器用穴を形成できる。消火器用穴は、前面開口側のパネル端に開口され、及び棚パネルを貫通する。
これにより、消火器は、ボックス本体の前面開口から消火器用穴に挿入、又は消火器用穴から取出すことができる。また、消火器を消火器用穴に挿入することで、消火器が背面・側パネル側に倒れることを防止できる。
【００２６】
本考案に係る請求項１０によれば、請求項９の効果に加えて、消火器用フックを消火器用支持軸に掛けることで、収納凹部に立設して収納され、及び消火器用穴を挿通した消火器の外縁に可撓性線材を当接でき、消火器が消火器用穴から前面開口側に倒れることを防止できる。
【００２７】
本考案に係る請求項１１によれば、扉パネルでボックス本体の前面開口を閉じた後に、覗き穴を通して消火器の収納を確認できる。
【００２８】
本考案に係る請求項１２によれば、請求項１１の効果に加えて、透明プレートで覗き穴を閉塞するので、扉パネルでボックス本体の前面開口を閉じた後に、覗き穴から異物（埃や塵等）が保管空間に入ることを防止できる。
【図面の簡単な説明】
【００２９】
【図１】収納ボックスの正面図である。
【図２】収納ボックスの側面図である。
【図３】収納ボックスであって、扉パネルにより前面開口を開いた状態の側面図である。
【図４】図１のＡ−Ａ断面図である。
【図５】図１のＢ−Ｂ断面図である。
【図６】図１のＣ−Ｃ断面図である。
【図７】側パネル体（背面・側パネル、左面・側パネル、右面・側パネル）を示す展開外面図である。
【図８】側パネル体（背面・側パネル、左面・側パネル、右面・側パネル）を示す展開内面図である。
【図９】側パネル体（背面・側パネル、左面・側パネル、右面・側パネル）を示す展開上面図である。
【図１０】図７のＤ−Ｄ断面図である。
【図１１】図７のＥ−Ｅ断面図である。
【図１２】図７のＦ−Ｆ断面図である。
【図１３】図８のＧ−Ｇ断面図である。
【図１４】図７のＨ−Ｈ断面図である。
【図１５】（ａ）は、図９において、背面・側パネル及び左面・側パネルの部分拡大図、（ｂ）は、図９において、背面・側パネル及び右面・側パネルの部分拡大図である。
【図１６】底パネル（又は天井パネル）を示す外面図である。
【図１７】底パネル（又は天井パネル）を示す内面図である。
【図１８】図１７のＪ−Ｊ矢視図である。
【図１９】図１７のＫ−Ｋ矢視図である。
【図２０】（ａ）は、図１７のＬ−Ｌ断面図、（ｂ）は、図２０（ａ）の部分拡大図である。
【図２１】（ａ）は、図１７のＭ−Ｍ断面図、（ｂ）及び（ｃ）は、図２１（ａ）の部分拡大図である。
【図２２】左面・側パネル及び右面・側パネルを背面・側パネルに対して直交に並設した上面図である。
【図２３】図２２（ａ）のＮ−Ｎ矢視図である。
【図２４】（ａ）は、図４において、天井パネル及び背面・側パネルの部分拡大図、（ｂ）は、図４において、底パネル及び背面・側パネルの部分拡大図である。
【図２５】（ａ）は、図５において、天井パネル及び左面・側パネルの部分拡大図、（ｂ）は、図５において、天井パネル及び右面・側パネルの部分拡大図である。
【図２６】（ａ）は、図５において、底パネル及び左面・側パネルの部分拡大図、（ｂ）は、図５において、底パネル及び右面・側パネルの部分拡大図である。
【図２７】扉パネルの外面図である。
【図２８】扉パネルの内面図である。
【図２９】扉パネルの上面図である。
【図３０】扉パネルの側面図である。
【図３１】図２７のＯ−Ｏ断面図である。
【図３２】図２８のＲ−Ｒ断面図である。
【図３３】図２７のＰ−Ｐ断面図である。
【図３４】図２７のＱ−Ｑ断面図である。
【図３５】（ａ）は、棚パネルの外面図、（ｂ）は、図３５（ａ）のＳ−Ｓ矢視図である。
【図３６】（ａ）は、棚パネルの内面図、（ｂ）は、図３６（ａ）のＴ−Ｔ矢視図、（ｃ）は、図３６（ａ）のＵ−Ｕ矢視図である。
【図３７】図３６（ａ）のＶ−Ｖ断面図である。
【図３８】（ａ）は、棚パネルから切取パネル部分を切取った外面図、（ｂ）は、棚パネルから切取パネル部分を切取った内面図である。
【図３９】背面・側パネルに吊下フックを取付けた拡大外面図、（ｂ）は、図３８（ａ）のＷ−Ｗ断面図である。
【図４０】図２７のＯ−Ｏ断面図であって、書類出入口を蓋剤で閉じた状態を示す図である。
【考案を実施するための形態】
【００３０】
本考案に係る収納ボックスについて、図１乃至図４０を参照して説明する。
【００３１】
図１乃至図６において、収納ボックスＸは、例えば、住宅等の建築現場に設置される保安ボックスであって、消火器Ｙを含む保管物、及び書類Ｐを収納して保管する。
保管物は、消火器Ｙを含み、例えば、消火バケツ、ヘルメット、吸殻入れ及び救急箱等である。
書類Ｐは、設計図面等であって、例えば、日本工業規格（ＪＩＳ規格）のＡ４サイズ（２１０×２９７ｍｍ）である。
【００３２】
収納ボックスＸは、図１乃至図６に示すように、ボックス本体１、書類収納ポケット８９、扉パネル８５、複数の棚パネル１０１及び複数の吊下フック１５１，１５２を備える。
【００３３】
＜ボックス本体１＞
ボックス本体１は、図４乃至図６に示すように、消火器Ｙを含む保管物を収納する保管空間Ｚ、及び保管物を保管空間Ｚに出し入れする前面開口Ａを有する。
ボックス本体１は、図１乃至図１５に示すように、側パネル体２、底パネル６及び天井パネル７を備える。
【００３４】
側パネル体２は、図７乃至図１５に示すように、背面・側パネル３、左面・側パネル４及び右面・側パネル５を備える。
【００３５】
背面・側パネル３（以下、「側パネル３」という）は、図７乃至図１２、及び図１５に示すように、矩形に形成される。側パネル３は、外側板８及び内側板９を含んで有し、中空パネル（矩形中空パネル）に形成される。
内側板９は、パネル厚さ方向ＫＴにおいて、外側板８に間隔（空所／空間）を隔てて並設される。外側板８は、外側平面８Ａを有する。内側板９は、内側平面９Ａを有する。
側パネル３は、例えば、熱可塑性樹脂（ポリエチレン樹脂のパリソン）をブロー成型して中空パネル（矩形中空パネル）に形成される。また、側パネル３は、ポリプロピレン樹脂（ポリプロピレン樹脂のパリソン）をブロー成型して矩形中空パネルに形成しても良い。
【００３６】
側パネル３は、図７乃至図１２に示すように、複数（一対）の取付突部１０，１１、複数（一対）の吊下フック用収納溝１２，１３、複数（一対）の吊下フック用突部１４，１５、及び複数（一対）の棚プレート支え突部１６，１７を有する。
【００３７】
各取付突部１０，１１は、図７、図９乃至図１１に示すように、パネル長手方向ＮＴにおいて、各パネル長手端側（各パネル端側）に形成される。各取付突部１０，１１は、パネル幅方向ＨＴにおいて、各パネル幅端（パネル端）間にわたって形成される。
各取付突部１０，１１は、パネル厚さ方向ＫＴにおいて、各パネル長手端側の外側板８（外側板８の一部）を内側板９側に凹ませて形成される。各取付突部１０，１１は、パネル厚み方向ＫＴにおいて、段差面１８を有して各パネル長手端側の外側板８を内側板９側に凹ませて形成される。
各取付突部１０，１１は、図７及び図１０に示すように、ネジ用凹み部１９を有する。ネジ用凹み部１９は、各取付突部１０，１１の外側板８に形成される。ネジ用凹み部１９は、パネル幅方向ＨＴの中央に配置される。ネジ用凹み部１９は、図１０に示すように、パネル厚み方向ＫＴにおいて、各取付突部１０，１１の外側板８の一部を、内側板９側に凹ませて形成される。ネジ用凹み部１９は、パネル厚み方向ＫＴにおいて、外側平面８Ａ側に開口される。
なお、パネル厚み方向ＫＴは、パネル長手方向ＮＴ及びパネル幅方向ＨＴと直交する方向であり、パネル幅方向ＨＴは、パネル長手方向ＮＴと直交する方向である（以下、同様）。
【００３８】
側パネル３において、各吊下フック用収納溝１２，１３は、図７、図９、図１１及び図１２に示すように、外側板８に形成される。各吊下フック用収納溝１２，１３は、パネル長手方向ＮＴにおいて、各取付突部１０，１１間に配置され、取付突部１０側（一方のパネル長手端側）に形成される。
各吊下フック用収納溝１２，１３は、図７、図１１及び図１２に示すように、パネル幅方向ＨＴにおいて、間隔を隔てて配置される。各吊下フック用収納溝１２，１３は、パネル幅方向ＨＴの中心から同一間隔を隔てて各パネル幅端側に並設される。
各吊下フック用収納溝１２，１３は、フック縦溝部２０、及びフック形状溝部２１を有する。
各吊下フック用収納溝１２，１３において、フック縦溝部２０は、図７、図９及び図１１に示すように、パネル長手方向ＮＴにおいて、取付突部１０側のパネル長手端（一方のパネル長手端）に開口される。フック縦溝部２０は、パネル長手方向ＮＴにおいて、取付突部１１側に向けて延在される。
フック縦溝２０は、パネル厚み方向ＫＴにおいて、外側板８の一部を内側板９側に凹ませて形成され、外側板８の外側平面８Ａに開口する。
各吊下フック用収納溝１２，１３において、フック形状溝部２１は、図７及び図１１に示すように、吊下フック１５１，１５２の外縁（フック形状）に沿った形状に形成される。フック形状溝部２１は、フック縦溝部２０に連続して形成される。フック形状溝部２１は、取付突部１０側のパネル長手端側において、フック縦溝部２０から分岐され、パネル幅方向ＨＴに延在しつつパネル長手方向ＮＴにも延在される。パネル形状溝部２１は、パネル厚み方向ＮＴにおいて、外側板８の一部を内側板９側に凹ませて形成され、外側板８の外側平面８Ａに開口する。
【００３９】
側パネル３において、各吊下フック用突部１４，１５は、図７、図９、図１１及び図１２に示すように、各吊下げフック用収納溝１２，１３のフック縦溝部２０に配置される。
各吊下フック用突部１４，１５は、パネル幅方向ＨＴに間隔を隔てて並設される。各吊下フック用突部１４，１５は、パネル長手方向ＮＴにおいて、取付突部１０側のパネル長手端（一方のパネル長手端）から間隔Ｔ１を隔てて並設される。
各吊下フック用突部１４，１５は、パネル長手方向ＮＴにおいて、フック形状溝部２１より取付突部１１側（他方のパネル長手端側）に位置して、各フック縦溝部２０に配置される。
各吊下フック用突部１４，１５は、パネル厚み方向ＫＴにおいて、相互に対向する外側板８及び内側板９の一部を、フック縦溝部２０の溝開口２０Ａ側（外側平面８Ａ側）に突出して形成される。このとき、各吊下フック用突部１４，１５は、フック縦溝部２０の外側板８及び内側板９の一部を一体として、外側平面８Ａ側に突出される。
これにより、各吊下フック用突部１４，１５は、吊下フック挿入空所２２を有する。吊下フック挿入空所２２は、図１１及び図１２に示すように、各吊下フック用突部１４，１５内側及び内側平面９Ａ間に形成される。吊下フック挿入空所２２は、内側板９の内側平面９Ａに開口する。吊下フック挿入空所２２は、パネル長手方向ＮＴにおいて、各吊下フック用突部１４，１５を貫通して、各取付突部１０，１１側（各パネル長手端側）でフック縦溝部２０に連通される。
【００４０】
側パネル３において、各棚パネル支え突部１６，１７は、図８及び図１１に示すように、内側板９に形成される。棚パネル支え突部１６は、パネル長手方向ＮＴにおいて、一方のパネル長手端（取付突部８側）から間隔Ｔ２を隔てて配置される。棚パネル支え突部１７は、パネル長手方向ＮＴにおいて、他方のパネル長手端（取付突部１１側）から間隔Ｔ２を隔てて配置される。
各棚パネル支え突部１６，１７は、パネル幅方向ＨＴにおいて、各パネル幅端間にわたって形成される。各棚パネル支え突部１６，１７は、相互に平行して、パネル幅方向ＨＴに延在される。
各棚パネル支え突部１６，１７は、パネル長手方向ＮＴにおいて、取付突部１０側に支持平面２３を有する。
各棚パネル支え突部１６，１７は、パネル厚み方向ＫＴにおいて、内側板９の一部を内側平面９Ａから突出（外側板８の反対側に突出）して形成される。
【００４１】
側パネル３は、図８、図９及び図１５に示すように、複数（一対）の傾斜部２４，２５を有する。各傾斜面２４，２５は、パネル幅方向ＨＴにおいて、各パネル幅端に形成される。
傾斜部２４は、内側板９の内側平面９Ａから一方のパネル幅端に向けて、角度θ＝１３５度を有して傾斜される。傾斜部２５は、内側板９の内側平面９Ａから他方のパネル幅端に向けて、角度θ＝１３５度を有して傾斜される。
各傾斜部２４，２５は、パネル幅方向ＨＴにおいて、各パネル幅端側の内側板９（内側板９の一部）を、パネル幅方向ＨＴ及びパネル厚み方向ＫＴに突出しつつ傾斜して形成される。
【００４２】
左面・側パネル４（以下、「側パネル４」という）は、図７乃至図９に示すように、矩形に形成される。側パネル４は、外側板３１及び内側板３２を含んで有し、中空パネル（矩形中空パネル）に形成される。内側板３２は、パネル厚さ方向ＫＴにおいて、外側板３１に間隔（空所／空間）を隔てて並設される。外側板３１は、外側平面３１Ａを有する。内側板３２は、内側平面３２Ａを有する。
側パネル４は、例えば、熱可塑性合成樹脂（ポリエチレン樹脂のパリソン）をブロー成型して中空パネル（矩形中空パネル）に形成される。また、側パネル４は、ポリプロピレン樹脂（ポリプロピレン樹脂のパリソン）をブロー成型して矩形中空パネルに形成しても良い。
【００４３】
側パネル４は、図７乃至図９、図１３及び図１４に示すように、複数（一対）の取付突部３３，３４、複数（一対）の棚パネル支え突部３５，３６、及び複数の棚パネル支持凹み部３７，３８，３９，４０を有する。
【００４４】
各取付突部３３，３４は、図７、図９、図１３及び図１４に示すように、パネル長手方向ＮＴにおいて、各パネル長手端側（各パネル端側）に形成される。各取付突部３３，３４は、パネル幅方向ＨＴにおいて、各パネル幅端（各パネル端）間にわたって形成される。
各取付突部３３，３４は、パネル厚さ方向ＫＴにおいて、各パネル長手端側の外側板３１（外側板３１の一部）を内側板３２側に凹ませて形成される。各取付突部３３，３４は、パネル厚さ方向ＫＴにおいて、段差面４１を有して各パネル長手端側の外側板３１（外側板３１の一部）を内側板３２側に凹ませて形成される。
各取付突部３３，３４は、図７及び図１４に示すように、複数（一対）のネジ用凹み部４２を有する。各ネジ用凹み部４２は、各取付突部３３，３４の外側板３１に形成される。各ネジ用凹み部４２は、図１４に示すように、パネル幅方向ＨＴに間隔を隔てて配置され、各パネル幅端側に形成される。各ネジ用凹み部４２は、パネル厚み方向ＫＴにおいて、各取付突部３３，３４の外側板３１の一部を内側板３２側に凹ませて形成される。各ネジ用凹み部４２は、パネル厚み方向ＫＴにおいて、外側平面３１Ａ側に開口される。
【００４５】
側パネル４において、各棚パネル支え突部３５，３６は、図８及び図１３に示すように、内側板３２に形成される。棚パネル支え突部３５は、パネル長手方向ＮＴにおいて、一方のパネル長手端（取付突部３３側）から間隔Ｔ２を隔てて配置される。棚パネル支え突部３６は、パネル長手方向ＮＴにおいて、他方のパネル長手端（取付突部３４側）から間隔Ｔ２を隔てて配置される。
各棚パネル支え突部３５，３６は、パネル幅方向ＨＴにおいて、各パネル幅端間に形成される。各棚パネル支え突部３５，３６は、相互に平行して、パネル幅方向ＨＴに延在される。
各棚パネル支え突部３５，３６は、パネル長手方向ＮＴにおいて、取付突部３３側に支持平面４３を有する。
各棚パネル支え突部３５，３６は、パネル厚み方向ＫＴにおいて、内側板３２の一部を内側平面３２Ａから突出（外側板３１の反対側に突出）して形成される。
【００４６】
側パネル４において、各棚パネル支持凹み部３７〜４０は、図８及び図１３に示すように、内側板３２に形成される。各棚パネル支持凹み部３７，３８は、パネル長手方ＮＴにおいて、取付突部３３及び棚パネル支え突部３５間に配置される。各棚パネル支え凹み部３７，３８は、棚パネル支え突部３５（支持平面４３）に隣接して形成される。
各棚パネル支持凹み部３７，３８は、パネル幅方向ＨＴに間隔を隔てて並設される。各棚パネル支持凹み部３７，３８は、パネル幅方向ＨＴの中心から同一間隔を隔てて配置される。
各棚パネル支持凹み部３９，４０は、図８及び図１４に示すように、パネル長手方向ＮＴにおいて、各棚パネル支え突部３５，３６間に配置される。各棚パネル支持凹み部３９，４０は、棚パネル支え突部３６（支持平面４３）に隣接して形成される。
各棚パネル支持凹み部３９，４０は、パネル長手方向ＮＴにおいて、各棚パネル支持凹み部３７，３８に対向して配置される。
各棚パネル支持凹み部３９，４０は、パネル幅方向ＨＴに間隔を隔てて並設される。各棚パネル支持凹み部３９，４０は、パネル幅方向ＮＴの中心から同一間隔を隔てて配置される。
各棚パネル支持凹み部３７〜４０は、パネル厚み方向ＫＴにおいて、内側板３２の一部を外側板３１側に凹ませて形成され、内側板３２の内側平面３２Ａに開口する。
【００４７】
側パネル４は、図８、図９及び図１５に示すように、傾斜部４４を有する。傾斜部４４は、パネル幅方向ＨＴにおいて、一方のパネル幅端側に形成される。
傾斜部４４は、内側板３２の内側平面３２Ａから一方のパネル幅端側に向けて、角度θ＝１３５度を有して傾斜される。傾斜部４４は、一方のパネル幅端側の内側板３２（内側板３２の一部）を、パネル幅方向ＨＴに及びパネル厚み方向ＫＴに突出しつつ傾斜して形成される。
【００４８】
右面・側パネル５（以下、「側パネル５」という）は、図７乃至図９、図１３に示すように、矩形に形成される。側パネル５は、側パネル４（左面・側パネル４）と基本的に同一構造であって、外側板３１及び内側板３２を含んで有し、中空パネル（矩形中空パネル）に形成される。側パネル５は、図７乃至図９、及び図１３に示すように、側パネル４（左面・側パネル４）と同様に、複数（一対）の取付突部３３，３４、一対の棚パネル支え突部３５，３６、及び複数の棚パネル支持凹み部３７〜４０を有する。
側パネル５において、各取付突部３３，３４は、図１４に示すように、側パネル４と同様に、複数（一対）のネジ用凹み部４２を有する。
側パネル５において、各棚パネル支え突部３５，３６は、側パネル４と同様に、支持平面４３を有する。
【００４９】
側パネル５は、図７乃至図９に示すように、錠用突部４６を有する。錠用突部４６は、パネル幅方向ＨＴにおいて、一方のパネル幅端に形成される。錠用突部４６は、パネル幅方向ＨＴにおいて、一方のパネル幅端から突出される。
錠用突部４６は、錠挿入穴４６Ａを有する。錠挿入穴４６Ａは、パネル厚さ方向ＫＴにおいて、錠用突部４６を貫通する。
【００５０】
側板パネル５は、図８、図９及び図１５に示すように、傾斜部４７を有する。傾斜部４７は、パネル幅方向ＨＴにおいて、他方のパネル幅端側に形成される。
傾斜部４７は、内側板３２の内側平面３２Ａから他方のパネル幅端側に向けて、角度θ＝１３５度を有して傾斜される。傾斜部４７は、他方のパネル幅端側の内側板３２（内側板３２の一部）を、パネル長手方向ＮＴ及びパネル厚み方向ＫＴに突出しつつ傾斜して形成される。
【００５１】
側パネル体２において、側パネル４（左面・側パネル）は、図７乃至図９に示すように、内側板３２の内側平面３２Ａを、側パネル３（背面・側パネル）の内側板９の内側平面９Ａと同一方向に向けて配置される。各側パネル３，４は、一方のパネル長手端（各取付突部１０，３３側）を面一に配置して並設される。
側パネル４は、一方のパネル幅端を、側パネル３（背面・側パネル）の一方のパネル幅端に隣設して配置される。各側パネル３，４は、各傾斜部２４，４４を対向して並設される。これにより、各傾斜部２４，４４間の角度は、θ＝９０度となる［図１５（ａ）参照］。
側パネル体２において、各側パネル３，４は、図７乃至図９、及び図１５に示すように、ヒンジ部４８で連結される。ヒンジ部４８は、熱可塑性樹脂（ポリエチレン樹脂）から平板状に形成される。ヒンジ部４８は、パネル幅方向ＨＴにおいて、各側パネル３，４間に配置される。ヒンジ部４８は、パネル長手方向ＮＴにおいて、各側パネルの３，４の各パネル長手端間にわたって延在される。ヒンジ部４８は、パネル厚み方向ＫＴにおいて、各傾斜部２４，４４より外側板８，３１側に配置される。ヒンジ部４８は、パネル長手方向ＮＴにわたって各側パネル３，４に固定され、各側パネル３，４を連結する。
ヒンジ部４８は、パネル幅方向ＨＴにおいて、一方のヒンジ幅端を側パネル３に連結し、他方のヒンジ幅端を側パネル４に連結する。
【００５２】
側パネル体２において、側パネル５（右面・側パネル）は、図７乃至図９に示すように、内側板３２の内側平面３２Ａを、側パネル３の内側板９の内側平面９Ａと同一方向に向けて配置される。各側パネル３，５は、一方のパネル長手端（取付突部１０，３３側）を面一に配置して並設される。
側パネル５は、他方のパネル幅端を、側パネル３の他方のパネル幅端に隣設して配置される。各側パネル３，５は、各傾斜部２５，４７を対向して並設される。これにより、各傾斜部２５，４７間の角度は、θ＝９０度となる［図１５（ｂ）参照］。
側パネル体２において、各側パネル３，５は、図７乃至図９、及び図１５に示すように、ヒンジ部４９で連結される。ヒンジ部４９は、熱可塑性樹脂（ポリエチレン樹脂）から平板状に形成される。ヒンジ部４９は、パネル幅方向ＨＴにおいて、各側パネル３，５間に配置される。ヒンジ部４９は、パネル長手方向ＮＴにおいて、各側パネル３，５の各パネル長手端間にわたって延在される。ヒンジ部４９は、パネル厚み方向ＫＴにおいて、各傾斜部２５，４７より各外側板８，３１側に配置される。ヒンジ部４９は、パネル長手方向ＮＴにわたって各側パネル３，５に固定され、各側パネル３，５を連結する。
ヒンジ部４９は、パネル幅方向ＨＴにおいて、一方のヒンジ幅端側を側パネル３に連結し、他方のヒンジ幅端側を側パネル５に連結する。
【００５３】
側パネル体２において、各側パネル３〜５、及び各ヒンジ部４８，４９は、例えば、熱可塑性樹脂（ポリエチレン樹脂のパリソン）をブロー成型して一体形成する。また、側パネル２体において、各側パネル３〜５、及び各ヒンジ部４８，４９は、ポリプロピレン樹脂（ポリプロピレン樹脂のパリソン）をブロー成型して一体形成しても良い。
【００５４】
側パネル体２において、側パネル４（左面・側パネル）は、図６、図２２及び図２３に示すように、ヒンジ部４８を支点として、側パネル３（背面・側パネル）に対して旋回自在である。
側パネル４を側パネル３の内側板９（内側平面９Ａ）に向けて旋回して、傾斜部４４を側パネル３の傾斜部２４に当接する。
これにより、側パネル４（左面・側パネル）は、図４乃至図６、及び図２２に示すように、側パネル３（背面・側パネル）に直交して並設される。
側パネル体２において、側パネル５（右面・側パネル）は、図６及び図２２に示すように、ヒンジ部４９を支点として、側パネル３（背面・側パネル）に対して旋回自在である。
側パネル５を側パネル３の内側板９（内側平面９Ａ）に向けて旋回して、傾斜部４７を側パネル３の傾斜部２５に当接する。
これにより、側パネル５（右面・側パネル）は、図５、図６、図２２及び図２３に示すように、側パネル３（背面・側パネル）に直交して並設される。また、側パネル５（右面・側パネル）は、側パネル４（左面・側パネル）に対向して配置される。このとき、各側パネル４，５は、内側板３２（内側平面３２Ａ）を対向して並設される。
側パネル体２は、各側パネル４，５を側パネル３に直交して並設すると、パネル長手方向ＮＴにおいて、各側パネル３〜５で上面開口Ｂ及び下面開口Ｃを形成する。
各側パネル４，５を側パネル３に直交して並設すると、各側パネル４，５の各棚パネル支え突部３５，３６は、図２２に示すように、パネル長手方向ＮＴにおいて、同一位置に配置され、及び相互に対向する。
各側パネル４，５を側パネル３に直交して並設すると、各側パネル４，５の各棚パネル支持凹み部３７〜４０は、図５に示すように、パネル長手方向ＮＴ及びパネル幅方向ＨＴにおいて、同一位置に配置され、相互に対向する（側パネル４の棚パネル支持凹み部３７は、側パネル５の棚パネル支持凹み部３７に対向され、同様に、側パネル４の各棚パネル支持凹み部３８〜４０は、側パネル５の各棚パネル支持凹み部３８〜４０に対向される）。
各側パネル４，５を側パネル３に直交して並設すると、側パネル３の各棚パネル支え突部１６，１７は、図５示すように、パネル長手方向ＮＴにおいて、各側パネル４，５の各棚パネル支え突部３５，３６と同一位置に配置され、各側パネル４，５の各棚パネル支え突部３５，３６に連続する。
【００５５】
底パネル６は、図１６乃至図２１に示すように、矩形に形成される。底パネル６は、外側板５１及び内側板５２を含んで有し、中空パネル（矩形中空パネル）に形成される。内側板５２は、パネル厚さ方向ＫＴにおいて、外側板５１に間隔（空所／空間）を隔てて並設される。外側板５１は、外側平面５１Ａを有する。内側板５２は、内側平面５２Ａを有する。
底パネル６は、例えば、熱可塑性樹脂（ポリエチレン樹脂のパリソン）をブロー成型して中空パネル（矩形中空パネル）に形成される。また、底パネル６は、ポリプロピレン樹脂（ポリプロピレン樹脂のパリソン）をブロー成型して矩形中空パネルに形成しても良い。
【００５６】
底パネル６は、図１７乃至図２１に示すように、複数の取付突部５３，５４，５５、軸支持凹み部５６、及び収納凹部５７を有する。
【００５７】
底パネル６において、取付突部５３は、図１７乃至図２１に示すように、パネル幅方向ＨＴにおいて、一方のパネル幅端側に配置（背面側）される。取付突部５３は、内側板５２に一体に形成される。
取付突部５３は、パネル厚さ方向ＫＴにおいて、内側平面５２Ａに直交して、内側板５２から外側板５１と反対方向に突出される。取付突部５４は、パネル長手方向ＮＴにおいて、各パネル長手端間にわたって配置される。
取付突部５３は、ネジ用段付穴５８を有する。ネジ用段付穴５８は、側パネル３（背面・側パネル）のネジ用凹み部１９に対応して設けられる。ネジ用段付穴５８は、パネル長手方向ＮＴの中央に配置される。各ネジ用段付穴５８は、パネル幅方向ＨＴにおいて、取付突部５３を貫通する。
【００５８】
底パネル６において、取付突部５４は、図１７乃至図２１に示すように、パネル長手方向ＮＴにおいて、一方のパネル長手端側（左面側）に配置される。取付突部５４は、内側板５２に一体に形成される。
取付突部５４は、パネル厚さ方向ＫＴにおいて、内側平面５２Ａに直交して、内側板５２から外側板５１と反対方向に突出される。取付突部５４は、パネル幅方向ＨＴにおいて、各パネル幅端間にわたって配置される。
取付突部５４は、複数（一対）のネジ用段付穴５９を有する。各ネジ用取付穴５９は、側パネル４（左面・側パネル）の各ネジ用凹み部４２に対応して設けられる。各ネジ用段付穴５９は、パネル幅方向ＨＴに間隔を隔てて配置される。各ネジ用段付穴５９は、パネル長手方向ＮＴにおいて、取付突部５４を貫通する。
【００５９】
底パネル６において、取付突部５５は、図１７乃至図２１に示すように、パネル長手方向ＮＴにおいて、他方のパネル長手端側（右面側）に配置される。取付突部５５は、内側板５２に一体に形成される。
取付突部５５は、パネル厚さ方向ＫＴにおいて、内側平面５２Ａに直交して、内側板５２から外側板５１と反対方向に突出される。取付突部５５は、パネル幅方向ＨＴにおいて、各パネル幅端間にわたって配置される。
取付突部５５は、複数（一対）のネジ用段付穴６１を有する。各ネジ用取付穴６１は、側パネル５（右面・側パネル）の各ネジ用凹み部４２に対応して設けられる。各ネジ用段付穴６１は、パネル幅方向ＨＴに間隔を隔てて配置される。各ネジ用段付穴６１は、パネル長手方向ＮＴにおいて、取付突部５５を貫通する。
【００６０】
底パネル６において、各軸支持凹み部５６は、図１７に示すように、内側板５２に形成される。各軸支窪み部５６は、パネル長手方向ＮＴの各パネル長手端側であって、パネル幅方向ＨＴの他方のパネル幅端（前面開口Ａ側）に配置される。
各軸支持凹み部５６は、パネル厚さ方向ＫＴにおいて、内側板５２の一部を外側板５１側に凹ませて形成され、内側平面５２Ａに開口する。
【００６１】
底パネル６において、収納凹部５７は、図１７及び図２１に示すように、消火器Ｙを立設して収納する。収納凹部５７は、内側板４に形成される。収納凹部５７は、パネル長手方向ＮＴの他方のパネル長手端側であって、パネル幅方向ＨＴの他方のパネル幅端側（前面開口Ａ側）に配置される。
収納凹部５７は、パネル厚み方向ＫＴにおいて、内側板５２の一部を、外側板５１側に凹まして形成され、内側平面５２Ａに開口される。
【００６２】
天井パネル７は、底パネル６と同一構成（同一構造）であって、外側板５１及び内側板５２を含んで有し、中空パネル（矩形中空パネル）に形成される。天井パネル７は、底パネル６と同様に、複数の取付突部５３〜５５、複数（一対）の軸支持凹み部５６、及び収納凹部５７を有する。
【００６３】
ボックス本体１において、側パネル体２は、図４乃至図６、図２２及び図２３に示すように、各側パネル４，５（左面・側パネル、右面・側パネル）を側パネル３（背面・側パネル）に対して旋回して、各側パネル４，５を側パネル３に直交して並設する。
天井パネル７は、図１乃至図５、及び図２３に示すように、内側板５１を各側パネル３〜４で形成される上面開口Ｂに対向して配置され、上面開口Ｂを閉塞する。
天井パネル７にて上面開口Ｂを閉塞するとき、側パネル３の取付突部１０は、図４及び図２４（ａ）に示すように、天井パネル７の取付突部５３内側に挿入され、取付凹み部１９を取付段付穴５８に対向する。
天井パネル７にて上面開口Ｂを閉塞するとき、側パネル４の取付突部３３は、図５及び図２５（ａ）に示すように、天井パネル７の取付突部５５内側に挿入され、各取付凹み部４２を各取付段付穴５９に対向する。
天井パネル７にて上面開口Ｂを閉塞するとき、側パネル５の取付突部３３は、図５及び図２５（ｂ）に示すように、天井パネル７の取付突部５４内側に挿入され、各取付凹み部４２を各取付段付穴６１に対向する。
天井パネル７は、各取付突部５３〜５５を各取付突部１０，３３の段差面１８，４１に当接して、各側パネル３〜５に載置（配置）される。
【００６４】
天井パネル７は、図２４（ａ）及び図２５に示すように、上面開口Ｂを閉塞した後、各側パネル３〜５に取付けられる。天井パネル７は、複数のタッピングネジ７１（タッピングスクリュー）により各側パネル３〜５に取付けられて固定される。
天井パネル７及び側パネル３において、タッピングネジ７１は、取付突部５３のネジ用段付穴５８に挿入され、側パネル３の取付突部１０のネジ用凹み部１９に螺着して（ねじ込んで）、天井パネル７を側パネル３（背面・側パネル）に取付ける［図２４（ａ）参照］。
天井パネル７及び側パネル４において、各タッピングネジ７１は、取付突部５５の各ネジ用段付穴５９に挿入され、側パネル４の取付突部３３の各ネジ用凹み部４２に螺着して（ねじ込んで）、天井パネル７を側パネル４（左面・側パネル）に取付ける［図２５（ａ）参照］。
天井パネル７及び側パネル５において、各タッピングネジ７１は、取付突部５４の各ネジ用段付穴６１に挿入され、側パネル５の取付突部３３の各ネジ用凹み部４２に螺着して（ねじ込んで）、天井パネル７を側パネル５（右面・側パネル）に取付ける［図２５（ｂ）参照］。
【００６５】
底パネル６は、図１乃至図５、及び図２３に示すように、内側板５２を各側パネル３〜５で形成される下面開口Ｃに対向して配置され、下面開口Ｃを閉塞する。
底パネル６にて下面開口Ｃを閉塞するとき、側パネル３の取付突部１１は、図４及び図２３（ｂ）に示すように、底パネル６の取付突部５３内側に挿入され、取付凹み部１９を取付段付穴５８に対向する。
底パネル６にて下面開口Ｃを閉塞するとき、側パネル４の取付突部３４は、図５及び図２５（ａ）に示すように、底パネル６の取付突部５４内側に挿入され、各取付凹み部４２を各取付段付穴５９に対向する。
底パネル６にて下面開口Ｃを閉塞するとき、側パネル５の取付突部３４は、図５及び図２５（ｂ）に示すように、底パネル６の取付突部５５内側に挿入され、各取付凹み部４２を各取付段付穴６１に対向する。
【００６６】
底パネル６は、下面開口Ｃを閉塞した後、各側パネル３〜５に取付けられる。底パネル６は、図２４（ｂ）及び図２６に示すように、複数のタッピングネジ７１により各側パネル３〜５に取付けられて固定される。
底パネル６及び側パネル３において、タッピングネジ７１は、取付突部５３のネジ用段付穴５８に挿入され、側パネル３の取付突部１１のネジ用凹み部１９に螺着して（ねじ込んで）、底パネル６を側パネル３（背面・側パネル）に取付ける［図２４（ｂ）参照］。
底パネル６及び側パネル４において、各タッピングネジ７１は、取付突部５４の各ネジ用段付穴５９に挿入され、側パネル４の取付突部３４の各ネジ用凹み部４２に螺着して（ねじ込んで）、底パネル６を側パネル４（左面・側パネル）に取付ける［図２５（ａ）参照］。
底パネル６及び側パネル５において、各タッピングネジ７１は、取付突部５５の各ネジ用段付穴６１に挿入され、側パネル５の取付突部３４の各ネジ用凹み部４２に螺着して（ねじ込んで）、底パネル６を側パネル５（右面・側パネル）に取付ける［図２６（ｂ）参照］。
底パネル６は、各取付突部５３〜５５を各取付突部１１，３４の段差面１８，４１に当接して、各側パネル３〜５に配置される。
【００６７】
ホックス本体１は、図４乃至図６に示すように、各側パネル３〜５、底パネル６及び天井パネル７で保管空間Ｚを形成する。ボックス体１は、各側パネル４，５、底パネル６及び天井パネル７で前面開口Ａを形成する。
ボックス本体１において、底パネル６の収納凹部５７は、図５及び図６に示すように、保管空間Ｚに開口される。
ボックス本体１において、底パネル６の収納凹部５７は、前面開口Ａ側であって、側パネル５（右面・側パネル）側に位置して配置される。
【００６８】
＜書類収納ポケット８９＞
書類収納ポケット８９は図２８、図２９、図３１乃至図３３に示すように、例えば、扉パネル８５に備えられる。
【００６９】
＜扉パネル８５＞
扉パネル８５は、図２７乃至図３３に示すように、矩形に形成される。扉パネル８５は、外側板８６及び内側板８７を含んで有し、中空パネル（矩形中空パネル）に形成される。内側板８７は、パネル厚さ方向ＫＴにおいて、外側板８７に間隔（空所／空間）を隔てて並設される。外側板８６は、外側平面８６Ａを有する。内側板８７は、内側平面８７Ａを有する。
【００７０】
扉パネル８５において、内側板８７は、図２８、図２９、及び図３１乃至図３３に示すように、パネル厚さ方向ＫＴにおいて、内側板８７の一部を、内側平面８７Ａから外側板８６の反対側に膨出したポケット膨出部９８を有する。ポケット膨出部９８は、パネル長手方向ＮＴにおいて、一方のパネル長手端（上端）から間隔ＴＰを隔てて配置される。ポケット膨出部９８は、各パネル長手端（上端及び下端）との間に非膨出の内側板８７ａ、８７ｂを有して形成される。ポケット膨出部８７において、パネル長手方向ＮＴのポケット長さ寸法ＰＬは、例えば、Ａ４サイズの書類Ｐを収納できる寸法であって、Ａ４サイズの長辺を２９７ｍｍとすると、ＰＬ＝３００〜３３０ｍｍである。パネル幅方向ＨＴのポケット幅寸法ＰＨは、例えば、Ａ４サイズの書類Ｐを収納できる寸法であって、Ａ４サイズの短辺を２１０ｍｍとすると、ＰＨ＝３１０〜３３０ｍｍである。
ポケット膨出部９８は、ポケット底板部９８Ａ、ポケット天井板部９８Ｂ、及びポケット側板部９８Ｃを有する。ポケット底板部９８Ａは、パネル長手方向ＮＴにおいて、他方のパネル長手端側（下端側）に形成される。ポケット底板部９８Ａは、図３０に示すように、パネル厚さ方向ＫＴにおいて、外側板８６側に延在して、外側板８６に当接される。
ポケット天井板部９８Ｂは、パネル長手方向ＮＴにおいて、一方のパネル長手端側（上端側）に形成され、ポケット底板部９８Ａに対向して形成される。
ポケット側板部９８Ｃは、ポケット底板部９８Ａ及びポケット天井板９８Ｂ間に配置され、ポケット底板部９８Ａ及びポケット天井板部９８Ｂに連続して形成される。
【００７１】
扉パネル８５は、例えば、熱可塑性樹脂（ポリエチレン樹脂のパリソン）をブロー成型して中空パネル（矩形中空パネル）に形成される。また、扉パネル８５は、ポリプロピレン樹脂（ポリプロピレン樹脂のパリソン）をブロー成型して矩形中空パネルに形成しても良い。
扉パネル８５は、図２７乃至図３４に示すように、複数（一対）の回転軸８８、書類収納ポケット８９、錠用穴９０、複数の菱形窪み部９１，９１，…、複数の内側突部９２，９３，９４、覗き穴９５及び透明プレート９９を有する。
【００７２】
扉パネル８５において、各回転軸８８は、図２７乃至図２９、及び図３１に示すように、パネル幅方向ＨＴにおいて、一方のパネル幅端側（左面側）に配置される。各回転軸８８は、パネル長手方向ＮＴにおいて、各パネル長手端（上端及び下端）に配置される。
各回転軸８８は、扉パネル８５の各パネル長手端（上端及び下端）に一体形成され、パネル長手方向ＮＴに突出される。
【００７３】
扉パネル８５において、書類収納ポケット８９は、図２８、図２９、及び図３１乃至図３３に示すように、外側板８６、及びポケット膨出部９８で構成される。
書類収納ポケット８９は、書類Ｐを収納する書類収納空所９６、及び書類Ｐを書類収納空所９６に出し入れする書類出入口９７を有する。
書類収納ポケット８９において、書類収納空所９６は、外側板８６及びポケット膨出部９８間に形成される。書類収納空所９６（書類収納ポケット８９）において、パネル厚さ方向ＫＴのポケット寸法ＫＰは、例えば、複数枚のＡ４サイズの書類Ｐを収納できる寸法であって、ＫＰ＝１０〜５０ｍｍである。書類収納空所９６（書類収納ポケット８９）において、ポケット長さ寸法ＰＬであり、ポケット幅寸法ＨＬである。
【００７４】
書類出入口９７は、図２８、図２９、図３１及び図３２に示すように、ポケット膨出部９８のポケット天井板部９８Ｂに形成される。書類出入口９７は、書類収納空所９６に開口される。書類出入口９７は、パネル幅方向ＨＴにおいて、長辺を有する矩形に形成される。
【００７５】
ポケット膨出部９８において、ポケット天井板部９８Ｂは、図２８、図２９、図３１及び図３２に示すように、外縁鍔部７２を有する。外縁鍔部７２は、書類出入口９７の外縁に沿って形成される。外縁鍔部７２は、ポケット天井板部９８Ｂの一部（内側板８７の一部）を書類収納空所９６内に凹ませて形成され、ポケット天井板部９８Ｂに開口する。
【００７６】
扉パネル８５において、錠用穴９０は、図２７、図２８及び図３３に示すように、側パネル５（右面・側パネル）の錠用突部４６に対応して形成される。錠用穴９０は、パネル幅方向ＨＴにおいて、他方のパネル幅端側（各回転軸８８と反対側）であって、パネル長手方向ＮＴの中央に配置される。錠用穴９０は、パネル厚さ方向ＫＴにおいて、扉パネル８５（外側板８６及び内側板８７）を貫通する。
【００７７】
扉パネル８５において、複数の菱形窪み部９１，９１，…は、図２７、及び図３１乃至図３３に示すように、外側板８６に形成される。各菱形窪み部９１，９１，…は、パネル長手方向ＮＴ及びパネル幅方向ＨＴに隣接して形成され、及び連続して配置される。
複数の菱形窪み部９１，９１，…は、例えば、パネル幅方向ＮＴにおいて、複数列（７列）配置され、及びパネル長手方向において、複数行（７行）配置される。第１列ｒ１、第３列ｒ３及び第５列ｒ５は、パネル長手方向ＮＴに、４つの菱形窪み部９１，９１，…を連続（隣接）して配置する。第２列ｒ２、第４列ｒ４及び第５列ｒ５は、パネル長手方向ＮＴに、３つの菱形窪み部９１，９１，９１を連続（隣接）して配置する。第７列ｒ７は、パネル長手方向ＮＴに、３つの菱形窪み部９１，９１，９１を連続（隣接）して配置する。隣設する列において、各菱形窪み部９１，９１，…は隣接して形成される。
また、第１行ｇ１、第２行ｇ２、第４行ｇ４、及び第６行ｇ６は、パネル幅方向ＨＴに、３つの菱形凹み部９１，９１，９１を連続（隣接）して配置する。第３行ｇ３、第５行ｇ５及び第７行ｇ７は、パネル幅方向ＨＴに、４つの菱形凹み部９１，９１，…を連続（隣接）して配置する。
各菱形窪み部９１，９１，…は、パネル厚さ方向ＫＴにおいて、外側板８６の一部を、内側板８７側に凹まして形成され、外側平面８６Ａに開口する。
各菱形窪み部９１，９１，…は、２本の対角線９１ａ，９１ｂ、及び菱形の各辺９１ｃ〜９１ｆで囲まれる４つの三角外側板部９１Ａ〜９１Ｄ（直角三角形外側板部）を有する。各三角形外側板部９１Ａ〜９１Ｄは、パネル厚み方向ＫＴにおいて、各対角線９１ａ，９１ｂの交点ＣＰに向けて、内側板８７側に傾斜される。
【００７８】
扉パネル８５において、各内側突部９２，９３は、図２８、図３１及び図３２に示すように、非膨出の内側板８７ａに形成される。各内側突部９２，９３は、パネル長手方向ＮＴに間隔を隔てて配置され、菱形窪み部９１，９１，…の交点ＣＰに対応して位置される。内側突部９２は、例えば、第１行ｇ１の各菱形窪み部９１，９１，９１の交差点ＣＰに対応して配置され、内側突部９３は、例えば、第２行ｇ２の各菱形窪み部９１，９１，９１の交点ＣＰに対応して配置される。
各内側突部９２，９３は、パネル幅方向ＨＴに延在される。各内側突部９２，９３は、パネル厚さ方向ＫＴにおいて、内側板８７ａ（非膨出の内側板）の一部を、外側板８５側に突出して形成される。内側突部９２は、第１行ｇ１の各菱形窪み部９１，９１，９１の交点において、外側板８５に当接される。
内側突部９４は、図２８、図３１及び図３２に示すように、非膨出の内側板８７ｂに形成される。内側突部９４は、菱形窪み部９１，９１，…の交点ＣＰに対応して位置される。内側突部９４は、例えば、第７行ｇ７の各菱形凹み部９１，９１，…であって、他方のパネル幅端側の菱形窪み部９１Ｘを除く、各菱形窪み部９１，９１，９１の交点ＣＰに対応して配置される。内側突部９４は、パネル厚さ方向ＫＴにおいて、内側板８７ｂ（非膨出の内側板）の一部を、外側板８５側に突出して形成される。内側突部９４は、第７行ｇ７の各菱形凹み部９１，９１，９１の交点ＣＰにおいて、外側板８５に当接される。
【００７９】
扉パネル８５において、覗き穴９５は、図２７、図２８及び図３４に示すように、パネル長手方向ＮＴにおいて、他方のパネル長手端側（下端側）であって、パネル幅方向ＨＴの他方のパネル幅端側に配置される。覗き穴９５は、例えば、第７行ｇ７の菱形窪み部９１Ｘに配置され、菱形穴に形成される。覗き穴９５は、パネル厚さ方向ＫＴにおいて、扉パネル８５（外側板８６及び内側板８７）を貫通する。
【００８０】
扉パネル８５において、透明プレート９９は、図２７、図２８及び図３４に示すように、覗き穴９５を閉塞する。透明プレート９９は、内側板８７に対向して配置され、内側板８７側から覗き穴９５を閉塞する。透明プレート９９は、内側板８７に取付けられる。
【００８１】
扉プレート８５は、図４及び図６に示すように、内側板８６（内側平面８６Ａ）、及び書類収納ポケット８９をボックス本体１の前面開口Ａに対向して配置される。各回転軸８８は、底パネル６及び天井パネル７において、ボックス本体１の側パネル４側に位置する各軸支持凹み部５６に回転自在として挿入される。
これにより、扉パネル８５は、図１乃至図４、及び図６に示すように、ボックス本体１に回転自在（旋回自在）に軸支され、ボックス本体１の前面開口Ａを開閉する。このとき、側パネル５において、錠用突部４６は、扉パネル８５の錠用穴９０に挿通され、扉パネル８５の外側板８６から突出される。
扉パネル８９にて前面開口Ａを閉じると、書類収納ポケット８９は、図４及び図６に示すように、ボックス本体１の保管空間Ｚに配置される。
扉パネル８９にて前面開口Ａを閉じると、覗き穴９５は、底パネル６の収納凹部５７を視認できる位置に配置される。
【００８２】
＜棚プレート１０１＞
複数の棚プレート１０１は、図３５乃至図３８に示すように、矩形に形成される。各棚プレート１０１は、外側板１０２及び内側板１０３を含んで有し、中空パネル（矩形中空パネル）に形成される。内側板１０３は、パネル厚さ方向ＫＴにおいて、外側板１０２に間隔（空所／空間）を隔てて並設される。外側板１０２は、外側平面１０２Ａを有する。内側板１０３は、内側平面１０３Ａを有する。
各棚パネル１０１は、例えば、熱可塑性樹脂（ポリエチレン樹脂のパリソン）をブロー成型して中空パネル（矩形中空パネル）に形成される。また、各棚パネル１０１は、ポリプロピレン樹脂（ポリプロピレン樹脂のパリソン）をブロー成型して矩形中空パネルに形成しても良い。
【００８３】
各棚パネル１０１は、図３５乃至図３７に示すように、複数の支持突部１０４，１０５，１０６，１０７、切取パネル部分１０８を有する。
【００８４】
各棚パネル１０１において、各支持突部１０４，１０５は、パネル長手方向ＮＴにおいて、一方のパネル長手端に配置される。各支持突部１０４，１０５は、側パネル５（右面・側パネル）の各棚パネル支え付凹み部３７，３８（又各棚パネル支え凹み部３９，４０）に対応して形成される。各支持突部１０４，１０５は、図３５及び図３６に示すように、パネル幅方向ＨＴに間隔を隔てて配置される。各支持突部１０４，１０５は、パネル長手方向ＮＴにおいて、一方のパネル長手端から突出される。
各支持突部１０６，１０７は、図３５及び図３６に示すように、パネル長手方向ＮＴにおいて、他方のパネル長手端に配置される。各支持突部１０６，１０７は、側パネル４（左面・側パネル）の各棚パネル支え凹み部３７，３８（又は各棚パネル支え凹み部３９，４０）に対応して形成される。各支持突部１０６，１０７は、パネル幅方向ＨＴに間隔を隔てて配置される。各支持突部１０６，１０７は、パネル長手方向ＮＴにおいて、他方のパネル長手端から突出される。
【００８５】
各棚パネル１０１において、切取パネル部分１０８は、図３５及び図３６に示すように、パネル長手方向ＮＴの一方のパネル長手端側（各支持突部１０４，１０５側）であって、パネル幅方向ＨＴの一方のパネル幅端側（支持突部１０４側）に配置される。
切取パネル部分１０８は、消化器Ｙの外縁に沿った切取縁ＫＬで囲まれる内側に形成される。各棚パネル１０１は、図３６に示すように、パネル厚さ方向ＫＴにおいて、内側板１０３の一部を外側板１０２側に折曲げ、及び外側板１０２に一体に連結して、消化器Ｙの外縁に沿った切取縁ＫＬを形成する。
各棚パネル１０１において、切取縁ＫＬは、図３６に示すように、一方のパネル長手端（パネル端）を始点、及び一方のパネル幅端（パネル端）を終点として、消化器Ｙの外縁に沿った切取パネル部分１０８を区画する。
切取パネル部分１０８は、内側板１０３を除く、外側板１０２のみで形成され、消化器挿入空所１０９を有する。消火器挿入空所１０９は、パネル厚さ方向ＫＴにおいて、外側板１０２内側に形成され、内側板１０３（内側平面１０３Ａ）に開口する。
これにより、切取パネル部分１０８は、図３８に示すように、切取縁ＫＬに沿って切取自在にされる。
【００８６】
各棚パネル１０１は、図４乃至図６に示すように、外側板１０２（外側平面１０２Ａ）を天井パネル７側に向け、及びパネル幅方向ＨＴの他方のパネル幅端を側パネル３（背面・側パネル）に向けて、ボックス本体１の前面開口Ａから保管空間Ｚに挿入して配置される。
【００８７】
一方の棚パネル１０１（以下、「上段・棚パネル１０１」という）は、図４乃至図６に示すように、各支持突部１０６，１０７を側パネル４の各棚パネル支え凹み部３７，３８に挿入し、及び各支持突部１０４，１０５を側パネル５の各棚パネル支え凹み部３７，３８に挿入する。
上段・棚パネル１０１は、内側板１０３から各側パネル３〜５の棚パネル支え突部１６，３５（支持平面２３，２４）上に載置される。
これにより、上段・棚パネル１０１は、底パネル６及び天井パネル７に間隔を隔てて並設され、各側パネル３〜５に支持される。
他方の棚パネル１０１（以下、「下段・棚パネル１０１」という）は、図４乃至図６に示すように、各支持突部１０６，１０７を側パネル４の各棚パネル支え凹み部３９，４０に挿入し、及び各支持突部１０８，１０９を側パネル５の各棚パネル支え凹み部３９，４０に挿入する。
下段・棚パネル１０１は、内側板１０３から各側パネル３〜５の棚パネル支え突部１７，３６（支持平面２３，４３）上に載置される。
これにより、下段・棚パネル１０１は、底パネル６及び天井パネル７に間隔を隔てて並設され、各側パネル３〜５に支持される。下段・棚パネル１０１は、上段・棚パネル１０１に間隔を隔てて並設され、底パネル６及び上段・棚パネル１０１間に配置される。
【００８８】
各棚パネル１０１を各側パネル３〜５に支持すると、切取パネル部分１０８は、図５及び図６に示すように、底パネル６の収納凹部５７に対向する位置に配置される。
各棚パネル１０１を各側パネル３〜５に支持すると、切取縁ＫＬは、ボックス本体１の前面開口Ａ側のパネル幅端（パネル端）を始点、及び側パネル５（右面・側パネル）側のパネル長手端（パネル端）を終点として、消化器Ｙの外縁に沿った切取パネル部分１０８を区画する。
【００８９】
＜吊下フック１５１，１５２＞
各吊下フック１５１，１５２は、図３９に示すように、フック軸１５３、及びフック部１５４（逆Ｕ文状のフック部）を有する。フック部１５４は、フック軸部１５３の一方の軸端に連続して形成される。
【００９０】
各吊下フック１５１，１５２は、図３、図４及び図３９に示すように、ボックス本体１において、側パネル３（背面・側パネル）に取付けられる。
各吊下フック１５１，１５２において、フック軸部１５３は、図３９に示すように、他方の軸端から各吊フック用収納溝１２，１３に挿入される。フック軸部１５３は、側パネル３の一方のパネル長手端（取付突部１０側）からフック縦溝部２１に挿入され、各吊下フック用突部１４，１５（吊下フック挿入空所２２）に圧入して挿通される。各吊下フック１５１，１５２において、フック軸部１５３は、各吊下フック用突部１４，１５に回転自在に挿通される。
各吊下フック１５１，１５２は、フック軸部１５３の他方の軸端側を、各吊下フック用突部１４，１５から取付突部１１側のフック縦溝部２１に突出して、側パネル３に配置される。
【００９１】
各吊下フック１５１，１５２は、図４及び図３９に示すように、複数のナット１５５により側パネル３（各吊下フック用突部１４，１５）に取付けられる。
各ナット１５５は、各吊下フック１５１，１５２において、フック軸部１５３の他方の軸端側に螺着され、各吊下フック用突部１４，１５に当接される。
これにより、各吊下フック１５１，１５２は、各ナット１５５にて各吊下フック用突部１４，１５から抜止めされる。各吊下フック１５１，１５２は、ボックス本体１外側に位置して配置され、側パネル３に取付けられる。
各吊下フック１５１，１５２は、図３９（ａ）に示すように、各吊下フック用突部１４，１５に対して回転することで、各吊下フック用収納溝１２，１３（フック縦溝部２０、フック形状溝部２１）に収納される。
【００９２】
収納ボックスＸは、例えば、住宅等の建築現場に設置され、消火器Ｙ、消火バケツ、吸殻入れ、ヘルメット及び救急箱等の保管物、及び書類Ｐを収納して保管する。
収納ボックスＸは、図１乃至図５に示すように、底パネル６を複数の脚部材１７２に固定して設置される。各脚部材１７２は、底パネル６の外側（下側）において、例えば、底パネル６の４隅（４つの角部分）に配置される。各脚部材１７２は、ボルト及びナットにて底パネル６に固定される。
【００９３】
収納ボックスＸにおいて、消火器Ｙは、図５及び図６に示すように、ボックス本体１の保管空間Ｚに収納（保管）される。
消火器Ｙを保管するに際して、収納ボックスＸは、図５及び図６に示すように、消火器Ｙの倒れを防止する機能として、消火器用支持軸１６５、消火器用フック１６６、及び可撓性線材１６７を備える。
【００９４】
消火器用支持軸１６５は、下段・棚パネル１０１において、外側板１０２に立設して固定され、各棚パネル１０１間に延在される。消火器用支持軸１６５は、切取縁ＫＬの始点（前面開口Ａ側のバネ幅端側）において、切取パネル部分１０８（切取縁ＫＬ）に隣設される。
【００９５】
消火器用フック１６６は、消火器用支持軸１６５に取外自在に掛けられる。
【００９６】
可撓性線材１６７は、チェーン、ワイヤ、樹脂製ロープ、ゴムロープ等で構成され、例えば、ゴムロープでなる（以下、「ゴムロープ１６７」という）。
ゴムロープ１６７は、収納凹部５７に立設して収納された消火器Ｙの外縁に当接自在に配置される。
ゴムロープ１６７（可撓性線材）において、一方のロープ端側（他方の線材端側）は、消火器用フック１６６に連結される。
ゴムロープ１６７において、他方のロープ端側（他方の線材端側）は、下段・棚パネル１０１に固定される。ゴムロープ１６７の他方のロープ端側は、切取縁ＫＬの終点（右面・側パネル５側のパネル長手端側）において、外側板１０２から下段・棚パネル１０１に固定される。
【００９７】
消火器Ｙを保管するに際して、切取パネル部分１０８は、図５、図６及び図３８に示すように、切取縁ＫＬに沿って下段・棚パネル１０１から切取られる。
これにより、下段・棚パネル１０１は、切取パネル部分１０８の切取後、消火器用穴１６１を形成する。消火器用穴１６１は、下段・棚パネル１０１において、前面開口Ａ側のパネル幅端（パネル端）に開口する。
消火器用穴１６６は、パネル厚さ方向ＫＬにおいて、下段・棚パネル１０１を貫通して、底パネル６の収納凹部５７に対向される。
【００９８】
収納ボックスＸにおいて、扉パネル８５を回転して、ボックス本体１の前面開口Ａを開く（前面開口Ａを開放する）。
前面開口Ａを開いた状態において、消火器Ｙは、前面開口Ａから保管空間Ｚに挿入して、底パネル６の収納凹部５７に立設して収納される。
消火器Ｙは、消火器用穴１６１に挿入される。このとき、消火器Ｙは、前面開口Ａ側の開口から消火器用穴１６１内に挿入される。
【００９９】
消火器Ｙを収納凹部５７に立設し、及び消火器用穴１６１に挿入すると、ゴムロープ１６７を消火器Ｙの外縁に巻回し、消火器用フック１６６を消火器用支持軸１６５に掛ける。
これにより、消火器Ｙは、ボックス本体１の保管空間Ｚに収納され、消火器用穴１６１にて保持されて、側パネル３（背面・側パネル）に倒れることがない（図５及び図６参照）。
また、消火器Ｙは、ゴムロープ１６７にて消火器用穴１６１から抜出ることが防止され、前面開口Ａ側に倒れることがない。
また、消火器Ｙは、消火器用フック１６６を消火器用支持軸１６５から取外すことで、消火器用穴１６１から取出せる。
【０１００】
前面開口Ａを開いた状態において、書類Ｐは、図３に示すように、書類出入口９７から書類収納ポケット８９（書類収納空所９６）内に収納される。書類Ｐは、書類出入口９７を通して書類収納ポケット８９（書類収納空所９６）から取出される。
【０１０１】
前面開口Ａを開いた状態において、消火器Ｙ以外の保管物（消火バケツ、ヘルメット及び緊急箱等）は、ボックス本体１の保管空間Ｚに収納（保管）される。
消火器Ｙ以外の保管物は、ボックス本体１において、上段及び下段・棚パネル１０１上に載置される。
【０１０２】
消火器Ｙを含む保管物を収納ボックスＸ（保管空間Ｚ）に収納して保管し、及び書類Ｐを書類収納ポケット８９内に収納すると、扉パネル８５を回転してボックス本体１の前面開口Ａを閉じる（前面開口Ａを閉塞する）。
このとき、ボックス本体１の側パネル５（右面・側パネル）において、錠用突部４６は、図１、図２及び図６に示すように、扉パネル８５の回転に伴って、扉パネル８５の錠用穴９０に挿入される。
扉パネル８５にて前面開口Ａを閉じると、錠用突部４６は、錠用穴９０から突出して、扉パネル８５の外側（外側板８６）に配置される。
扉パネル８５にて前面開口Ａを閉じた後、例えば、南京錠を錠用突部４６の錠挿入穴４６Ａに挿入して施錠する。
【０１０３】
扉パネル８５にて前面開口Ａを閉じると、書類収納ポケット８９は、図４及び図６に示すように、ボックス本体１の保管空間Ｚに配置される。
扉パネル８５にて前面開口Ａを閉じると、扉パネル８５の覗き穴９５は、図１に示すように、ボックス本体１において、収納凹部５７に立設して収納された消火器Ｙに対向する位置に配置される。
【０１０４】
収納ボックスＸにおいて、各吊下フック１５１，１５２を回転して、各吊下フック用収納溝１２，１３から取出す［図２、図４及び図３９（ｂ）参照］。
これにより、収納ボックスＸは、建築物等の壁に設けられた横棒等に各吊下フック１５１，１５２を掛けることで、建築物等の壁に吊下げて設置できる。
【０１０５】
収納ボックスＸでは、図４０に示すように、書類出入口９７を蓋板１７１で開閉自在にしても良い。蓋板１７１は、例えば、透明板で構成する。蓋板１７１は、書類出入口９７の外縁に形成された外縁鍔部７２内に挿入して載置することで、書類出入口９７を閉じる。蓋板１７１を外縁鍔部７２から取外すことで、書類出入口９７を開く。
【０１０６】
収納ボックスＸでは、書類収納ポケット８９を扉パネル８５に備える構成に限定されず、例えば、ボックス本体１の天井パネル７に備える構成を採用できる。
このとき、扉パネル８５と同様に、パネル厚さ方向ＫＴにおいて、天井パネル７の内側板５２の一部を、外側板５１と反対側に膨出してポケット膨出部を形成する。
書類収納ポケットは、天井パネル７の外側板５１、及び内側板５２の一部を膨出したポケット膨出部で構成する。書類出入口は、前面開口Ａ側において、ポケット膨出部に形成する。
【０１０７】
収納ボックスＸは、住宅等の建築現場に設置することに限定されず、マンション及び住宅（一戸建）等の屋内、屋外、又は公共施設の屋内、屋外に設置して、保管物を収納して保管することもできる。保管物は、一般家庭、又は公共施設で使用される様々な物品であっても良い。
【０１０８】
収納ボックスＸにおいて、書類収納ポケット８９（書類収納空所９６）のサイズ（寸法）は、Ａ４サイズの書類Ｐを収納するものに限定されず、使用用途（使用目的）に応じて、日本工業規格（ＪＩＳ規格）のＡ列のＡ０〜Ａ１０サイズの書類Ｐ、又はＢ列のＢ０〜Ｂ１０サイズの書類Ｐを収納できる寸法にする。
【産業上の利用可能性】
【０１０９】
本考案は、保管物及び書類を収納して保管する収納ボックスに最適である。
【符号の説明】
【０１１０】
Ｘ  収納ボックス
Ｙ  消火器
Ｚ  保管空間
Ａ  前面開口
１  ボックス本体
８５  扉パネル
８９  書類収納ポケット
９６  書類収納空所
９７  書類出入口
【図１】
0003205572.tif 000003
【図２】
0003205572.tif 000004
【図３】
0003205572.tif 000005
【図４】
0003205572.tif 000006
【図５】
0003205572.tif 000007
【図６】
0003205572.tif 000008
【図７】
0003205572.tif 000009
【図８】
0003205572.tif 000010
【図９】
0003205572.tif 000011
【図１０】
0003205572.tif 000012
【図１１】
0003205572.tif 000013
【図１２】
0003205572.tif 000014
【図１３】
0003205572.tif 000015
【図１４】
0003205572.tif 000016
【図１５】
0003205572.tif 000017
【図１６】
0003205572.tif 000018
【図１７】
0003205572.tif 000019
【図１８】
0003205572.tif 000020
【図１９】
0003205572.tif 000021
【図２０】
0003205572.tif 000022
【図２１】
0003205572.tif 000023
【図２２】
0003205572.tif 000024
【図２３】
0003205572.tif 000025
【図２４】
0003205572.tif 000026
【図２５】
0003205572.tif 000027
【図２６】
0003205572.tif 000028
【図２７】
0003205572.tif 000029
【図２８】
0003205572.tif 000030
【図２９】
0003205572.tif 000031
【図３０】
0003205572.tif 000032
【図３１】
0003205572.tif 000033
【図３２】
0003205572.tif 000034
【図３３】
0003205572.tif 000035
【図３４】
0003205572.tif 000036
【図３５】
0003205572.tif 000037
【図３６】
0003205572.tif 000038
【図３７】
0003205572.tif 000039
【図３８】
0003205572.tif 000040
【図３９】
0003205572.tif 000041
【図４０】
0003205572.tif 000042
【手続補正書】
【提出日】平成28年5月19日(2016.5.19)
【手続補正１】
【補正対象書類名】実用新案登録請求の範囲
【補正対象項目名】全文
【補正方法】変更
【補正の内容】
【実用新案登録請求の範囲】
【請求項１】
消火器を含む保管物を収納する保管空間、及び前記保管物を前記保管空間に出し入れする前面開口を有するボックス本体と、
前記ボックス本体に回転自在に軸支され、前記ボックス本体の前面開口を開閉する扉パネルと、
前記ボックス本体の前記保管空間内に配置され、書類を収納する書類収納ポケットと、
を備え、
前記書類収納ポケットは、
前記書類を収納する書類収納空所と、
前記書類を前記書類収納空所に出し入れする書類出入口と、
を有する
ことを特徴とする収納ボックス。
【請求項２】
前記書類収納ポケットは、
前記扉パネルに備えられる
ことを特徴とする請求項１に記載の収納ボックス。
【請求項３】
前記扉パネルは、
外側板と、
前記外側板に間隔を隔てて前記前面開口側に並設される内側板と、
を含む矩形中空パネルに形成され、
前記内側板は、
前記内側板の一部を、前記ボックス本体の前記保管空間側に膨出したポケット膨出部を有し、
前記ポケット膨出部は、
前記扉パネルのパネル長手方向の下端側に形成され、前記外側板側に延在して前記外側板に当接されるポケット底板部と、
前記ポケット底板部に対向するポケット天井板部を含んで有し、
前記書類収納ポケットは、
前記外側板、及び前記ポケット膨出部から構成され、
前記外側板及び前記ポケット膨出部間に前記書類収納空所を有し、
前記ポケット天井板部に前記書類出入口を有する
ことを特徴とする請求項１又は２に記載の収納ボックス。
【請求項４】
前記扉パネルは、
前記外側板に形成され、前記扉パネルのパネル長手方向及びパネル幅方向に連続して配置される複数の菱形窪み部と、
前記内側板に形成される内側突部と、
を有し、
前記各菱形窪み部は、
２本の対角線、及び各辺で区画される４つの三角形外側板部を有し、
前記各菱形窪み部において、各三角形外側板部は、２本の対角線の交点に向けて、前記内側板側に傾斜され、
前記内側突部は、
前記外側板に向けて突出され、前記菱形窪み部の各対角線の交点において、前記外側板に当接される
ことを特徴とする請求項３に記載の収納ボックス。
【請求項５】
前記ボックス本体は、
矩形に形成される背面・側パネルと、
矩形に形成され、前記背面・側パネルに直交して並設される左面・側パネルと、
矩形に形成され、前記左面・側パネルに対向して配置され、及び前記背面・側パネルに直交して並設される右面・側パネルと、
前記各側パネルで形成される上面開口を閉塞し、及び前記各側パネルに取付けられる天井パネルと、
前記各側パネルで形成される下面開口を閉塞し、及び前記各側パネルに取付けられる底パネルと、
を備え、前記各側パネル、前記天井パネル及び前記底パネルで前記保管空間を形成し、前記右面・側パネル、前記左面・側パネル、前記天井パネル及び前記底パネルで前記前面開口を形成し、
前記扉パネルは、
前記天井パネル及び前記底パネルに回転自在に軸支され、前記前面開口を開閉する
ことを特徴とする請求項１乃至４の何れかに記載の収納ボックス。
【請求項６】
前記ボックス本体の前記保管空間に配置される棚パネルを備え、
前記棚パネルは、
前記天井パネル及び前記底パネルに間隔を隔てて並設され、前記左面・側パネル及び前記右面・側パネルに支持される
ことを特徴とする請求項５に記載の収納ボックス。
【請求項７】
前記底パネルは、
前記保管空間に開口され、前記消火器を立設して収納する収納凹部を有する
ことを特徴とする請求項５又は６に記載の収納ボックス。
【請求項８】
前記底パネルは、
前記保管空間に開口され、前記消火器を立設して収納する収納凹部を有し、
前記棚パネルは、
前記底パネルの前記収納凹部に対向する位置に配置され、前記消火器の外縁に沿った切取縁で囲まれる切取パネル部分を有し、
前記切取パネル部分は、
前記切取縁に沿って切取自在にされている
ことを特徴とする請求項６に記載の収納ボックス。
【請求項９】
前記底パネルは、
前記保管空間に開口され、前記消火器を立設して収納する収納凹部を有し、
前記収納凹部は、
前記前面開口側であって、前記右面・側パネル側に位置して配置され、
前記棚パネルは、
前記収納凹部に対向する位置に配置され、前記消火器の外縁に沿った切取縁で囲まれる切取パネル部分を有し、
前記切取パネル部分は、
前記切取縁に沿って切取自在にされ、
前記切取縁は、
前記棚パネルにおいて、前記前面開口側のパネル端を始点、及び前記右面・側パネル側のパネル端を終点として、前記切取パネル部分を区画する
ことを特徴とする請求項６に記載の収納ボックス。
【請求項１０】
前記切取縁の始点側において、前記切取パネル部分に隣設され、前記棚パネルに立設して固定される消火器用支持軸と、
前記消火器用支持軸に取外自在に掛けられる消火器用フックと、
前記収納凹部に立設して収納された前記消火器の外縁に当接自在に配置される可撓性線材と、
を備え、
前記可撓性線材において、
一方の線材端側は、前記消火器用フックに連結され、
他方の線材端側は、前記切取縁の終点側において、前記棚パネルに固定される
ことを特徴とする請求項９に記載の収納ボックス。
【請求項１１】
前記扉パネルは、前記前面開口を閉じた状態において、
前記底パネルの前記収納凹部に立設された消火器と対向する位置に配置され、前記保管空間に開口する覗き穴を有する
ことを特徴とする請求項７乃至９の何れかに記載の収納ボックス。
【請求項１２】
前記扉パネルは、
前記覗き穴を閉塞する透明プレートを有する
ことを特徴とする請求項１１に記載の収納ボックス。
【手続補正２】
【補正対象書類名】明細書
【補正対象項目名】０００８
【補正方法】変更
【補正の内容】
【０００８】
本考案に係る請求項４は、前記扉パネルは、前記外側板に形成され、前記扉パネルのパネル長手方向及びパネル幅方向に連続して配置される複数の菱形窪み部と、前記内側板に形成される内側突部と、を有し、前記各菱形窪み部は、２本の対角線、及び各辺で区画される４つの三角形外側板部を有し、前記各菱形窪み部において、各三角形外側板部は、２本の対角線の交点に向けて、前記内側板側に傾斜され、前記内側突部は、前記外側板に向けて突出され、前記菱形窪み部の各対角線の交点において、前記外側板に当接されることを特徴とする請求項３に記載の収納ボックスである。
【手続補正３】
【補正対象書類名】明細書
【補正対象項目名】００１２
【補正方法】変更
【補正の内容】
【００１２】
本考案に係る請求項８は、前記底パネルは、前記保管空間に開口され、前記消火器を立設して収納する収納凹部を有し、前記棚パネルは、前記底パネルの前記収納凹部に対向する位置に配置され、前記消火器の外縁に沿った切取縁で囲まれる切取パネル部分を有し、前記切取パネル部分は、前記切取縁に沿って切取自在にされていることを特徴とする請求項６に記載の収納ボックスである。
【手続補正４】
【補正対象書類名】明細書
【補正対象項目名】００１３
【補正方法】変更
【補正の内容】
【００１３】
本考案に係る請求項９は、前記底パネルは、前記保管空間に開口され、前記消火器を立設して収納する収納凹部を有し、前記収納凹部は、前記前面開口側であって、前記右面・側パネル側に位置して配置され、前記棚パネルは、前記収納凹部に対向する位置に配置され、前記消火器の外縁に沿った切取縁で囲まれる切取パネル部分を有し、前記切取パネル部分は、前記切取縁に沿って切取自在にされ、前記切取縁は、前記棚パネルにおいて、前記前面開口側のパネル端を始点、及び前記右面・側パネル側のパネル端を終点として、前記切取パネル部分を区画することを特徴とする請求項６に記載の収納ボックスである。
【手続補正５】
【補正対象書類名】明細書
【補正対象項目名】００１５
【補正方法】変更
【補正の内容】
【００１５】
本考案に係る請求項１１は、前記扉パネルは、前記前面開口を閉じた状態において、前記底パネルの前記収納凹部に立設された消火器と対向する位置に配置され、前記保管空間に開口する覗き穴を有することを特徴とする請求項７乃至９の何れかに記載の収納ボックスである。
【手続補正６】
【補正対象書類名】明細書
【補正対象項目名】００１６
【補正方法】変更
【補正の内容】
【００１６】
本考案に係る請求項１２は、前記扉パネルは、前記覗き穴を閉塞する透明プレートを有することを特徴とする請求項１１に記載の収納ボックスである。
【手続補正７】
【補正対象書類名】明細書
【補正対象項目名】００２０
【補正方法】変更
【補正の内容】
【００２０】
本考案に係る請求項４によれば、請求項３の効果に加えて、各菱形窪み部の交点において、内側突部を外側板に当接するので、扉パネル（外側板、内側板）の強度を上げることができる。
【手続補正８】
【補正対象書類名】明細書
【補正対象項目名】００２４
【補正方法】変更
【補正の内容】
【００２４】
本考案に係る請求項８によれば、請求項６の効果に加えて、切取パネル部分を切取縁に沿って切取ることで、棚パネルに消火器を挿入する消火器用穴を形成できる。
これにより、収納凹部に立設して収納された消火器を消火用穴に挿入することで、棚パネルにて消火器を保持できる。
【手続補正９】
【補正対象書類名】明細書
【補正対象項目名】００２５
【補正方法】変更
【補正の内容】
【００２５】
本考案に係る請求項９によれば、請求項６の効果に加えて、切取パネル部分を切取縁に沿って切取ることで、棚パネルに消火器を挿入する消火器用穴を形成できる。消火器用穴は、前面開口側のパネル端に開口され、及び棚パネルを貫通する。
これにより、消火器は、ボックス本体の前面開口から消火器用穴に挿入、又は消火器用穴から取出すことができる。また、消火器を消火器用穴に挿入することで、消火器が背面・側パネル側に倒れることを防止できる。